(57)【要約】【課題】きわめて単純な構造であり、かつ、硬貨どうしの衝突音が響きやすい、ぬいぐるみ型の貯金箱を提供する。【解決手段】ぬいぐるみ型の貯金箱１は、内部に空洞２０を有するぬいぐるみ２であって、上部に硬貨を投入するための硬貨投入口２１を有し、下部に硬貨を取り出すための硬貨取出口２２を有する、ぬいぐるみ２と、ぬいぐるみ２の内部の空洞２０に嵌め込まれる、ぬいぐるみ２よりも硬い素材から形成される板状部材３であって、硬貨を収容する空間を区画する板状部材３と、を備え、板状部材３は、ぬいぐるみ２の硬貨取出口２２を通じて、ぬいぐるみ２の内部の空洞２０に嵌め込まれるようになっている。【選択図】図１
0003227509.tif 000002
【実用新案登録請求の範囲】
【請求項１】
内部に空洞を有するぬいぐるみであって、上部に硬貨を投入するための硬貨投入口を有し、下部に硬貨を取り出すための硬貨取出口を有する、ぬいぐるみと、
前記ぬいぐるみの内部の前記空洞に嵌め込まれる、前記ぬいぐるみよりも硬い素材から形成される板状部材であって、硬貨を収容する空間を区画する板状部材と、を備え、
前記板状部材は、前記ぬいぐるみの前記硬貨取出口を通じて、前記ぬいぐるみの内部の前記空洞に嵌め込まれるようになっている、ぬいぐるみ型の貯金箱。
【請求項２】
前記板状部材は、略円筒状に丸められて前記ぬいぐるみの内部の前記空洞に嵌め込まれるようになっている、請求項１に記載された、ぬいぐるみ型の貯金箱。
【請求項３】
前記板状部材は、合成樹脂、金属、紙、皮革、又は、木材のいずれかの素材から形成されている、請求項１又は請求項２に記載された、ぬいぐるみ型の貯金箱。
【請求項４】
前記ぬいぐるみの下部の前記硬貨取出口は、ファスナーによって開閉自在に形成されている、請求項１乃至請求項３のいずれか一項に記載された、ぬいぐるみ型の貯金箱。
【請求項５】
前記ぬいぐるみの下部の前記硬貨取出口の内側に、硬貨を収容する空間の底部を区画する底部板状部材をさらに備える、請求項１乃至請求項４のいずれか一項に記載された、ぬいぐるみ型の貯金箱。
【考案の詳細な説明】
【技術分野】
【０００１】
本考案は、ぬいぐるみ型の貯金箱に関するものである。
【背景技術】
【０００２】
従来から、貯金箱の形状として、キャラクターや動物が採用されている。このようにキャラクターや動物などの形状であれば、その愛らしさに起因して貯金箱に愛着がわくようになっている。
【０００３】
また、例えば、特許文献１に記載された動くぬいぐるみ貯金箱では、回転軸やアームなどの複雑な機構を有する貯金箱がぬいぐるみ内に設置されている。このような構成によれば、投入した硬貨の量に応じてぬいぐるみが挙動し、視覚的に硬貨量を認識可能な貯金箱になっている。
【先行技術文献】
【特許文献】
【０００４】
【特許文献１】実用新案登録第３１３６０８５号公報
【考案の概要】
【考案が解決しようとする課題】
【０００５】
しかしながら、特許文献１に記載された貯金箱では、ぬいぐるみが動くように構成できるものの、全体の構造が複雑であり、高価なものとなっていた。さらに、貯金箱に硬貨を投入した際に、硬貨どうしの衝突音が響くこともなかった。
【０００６】
そこで、本考案は、きわめて単純な構造であり、かつ、硬貨どうしの衝突音が響きやすい、ぬいぐるみ型の貯金箱を提供することを目的としている。
【課題を解決するための手段】
【０００７】
前記目的を達成するために、本考案のぬいぐるみ型の貯金箱は、内部に空洞を有するぬいぐるみであって、上部に硬貨を投入するための硬貨投入口を有し、下部に硬貨を取り出すための硬貨取出口を有する、ぬいぐるみと、前記ぬいぐるみの内部の前記空洞に嵌め込まれる、前記ぬいぐるみよりも硬い素材から形成される板状部材であって、硬貨を収容する空間を区画する板状部材と、を備え、前記板状部材は、前記ぬいぐるみの前記硬貨取出口を通じて、前記ぬいぐるみの内部の前記空洞に嵌め込まれるようになっている。
【考案の効果】
【０００８】
このように、本考案のぬいぐるみ型の貯金箱は、内部に空洞を有するぬいぐるみであって、上部に硬貨を投入するための硬貨投入口を有し、下部に硬貨を取り出すための硬貨取出口を有する、ぬいぐるみと、ぬいぐるみの内部の空洞に嵌め込まれる、ぬいぐるみよりも硬い素材から形成される板状部材であって、硬貨を収容する空間を区画する板状部材と、を備え、板状部材は、ぬいぐるみの硬貨取出口を通じて、ぬいぐるみの内部の空洞に嵌め込まれるようになっている。このような構成であれば、板状部材によって硬貨どうしの衝突音が反響するため、きわめて単純な構造であり、かつ、硬貨どうしの衝突音が響きやすい、ぬいぐるみ型の貯金箱となる。
【図面の簡単な説明】
【０００９】
【図１】ぬいぐるみ型の貯金箱の全体構成を説明する斜視図である。
【図２】ぬいぐるみ型の貯金箱の断面図である。
【図３】ぬいぐるみ型の貯金箱を分解した分解斜視図である。
【考案を実施するための形態】
【００１０】
以下、本考案の実施の形態について図面を参照して説明する。ただし、以下の実施例に記載されている構成要素は例示であり、本発明の技術範囲をそれらのみに限定する趣旨のものではない。
【実施例】
【００１１】
（構成）
まず、図１、図２を用いて本考案のぬいぐるみ型の貯金箱１の全体構成を説明する。本考案のぬいぐるみ型の貯金箱１は、内部に空洞２０を有するぬいぐるみ２であって、上部に硬貨を投入するための硬貨投入口２１を有し、下部に硬貨を取り出すための硬貨取出口２２を有する、ぬいぐるみ２と、ぬいぐるみ２の内部の空洞２０に嵌め込まれる、ぬいぐるみ２よりも硬い素材から形成される板状部材３であって、硬貨を収容する空間を区画する板状部材３と、を備えている。
【００１２】
ぬいぐるみ２は、キャラクターや動物等の形状に応じて裁断した複数のパーツ布地どうしを縫い合わせて袋状にされた布地の内部に柔らかい充填物が充填されることで作製されている。布地は、綿素材、ポリエステルやナイロンなどの化学繊維素材、皮素材などの種々の素材の１つ又は複数の組み合わせとして構成可能であり、ここでは化学繊維素材で構成されている。
【００１３】
ぬいぐるみ２の内部の充填物としては、一般に使用されている材料又は物質を用いることができるが、ここでは綿材が用いられている。綿材は、天然の綿など種々の綿材であり得るが、ここではポリエステル綿を用いている。
【００１４】
そして、図１に示すように、ぬいぐるみ２の表面には、目２ａ、２ａと、耳２ｂ、２ｂと、鼻２ｃと、口２ｄと、が刺繍によって、又はパーツ材料を接着又は縫い付けることによって、付されている。このため、全体として愛らしい外観を呈するようになっている。
【００１５】
ぬいぐるみ２には、その内部に空洞２０が形成されている。空洞２０は、例えば円柱形に形成されており、この空洞２０に硬貨投入口２１を通じて硬貨が投入・貯蓄されるとともに、空洞２０から硬貨取出口２２を通じて硬貨が取り出されるようになっている。なお、空洞２０の大きさや形状は、円柱形に限定されるものではなく、どのような立体的形状であってもよい。そして、本考案のぬいぐるみ２の内部の空洞２０には、後述するように板状部材３が嵌め込まれている。
【００１６】
硬貨投入口２１は、ぬいぐるみ２の上部に設けられるスリット（細長い開口部）であり、硬貨を投入することは容易な大きさであるが、硬貨を取り出しにくい大きさとなっている。硬貨投入口２１から投入された硬貨は、空洞２０に貯蓄される。
【００１７】
硬貨取出口２２は、ぬいぐるみ２の下部に設けられる開閉自在の開口部である。硬貨取出口２２は、硬貨をまとめて取り出しやすい大きさに形成されている。具体的に言うと、硬貨取出口２２は、ファスナーによって開閉自在に形成されている。すなわち、ここでは半円形の切り込みの縁に、エレメント２２ａが取り付けられており、スライダ２２ｂを移動させることで開閉できるようになっている。なお、硬貨取出口２２は、マジックテープ（登録商標）などであってもよい。
【００１８】
板状部材３は、ぬいぐるみ２の充填物よりも硬い素材である、ポリプロピレン、ポリエチレン、アクリル樹脂、ポリウレタンなどの合成樹脂、金属、紙、皮革、又は、木材のいずれかの素材から形成される平板状の部材である。この板状部材３を空洞２０に嵌め込むことによって、空洞２０の周囲をぬいぐるみ２の柔らかい充填物から区画するとともに、硬貨が衝突した際の衝突音がこの板状部材３に伝搬して衝突音が明確に聞こえるようになっている。さらに、ぬいぐるみ２には空洞２０が形成されているところ、この空洞２０に対応する芯材を入れて空洞２０を保持するとともに、全体形状を保持することができる。
【００１９】
そして、板状部材３は、ぬいぐるみ２の下部の硬貨取出口２２を通じて、ぬいぐるみ２の内部の空洞２０に嵌め込まれるようになっている。すなわち、図３の分解図に示すように、板状部材３は平板状態（展開した状態）で作成されるが、空洞２０に嵌め込む際には円筒状に曲げられて空洞２０に挿入される。したがって、板状部材３は、例えば手で容易に曲げることができる程度の柔軟性を有していることが好ましい。
【００２０】
（作用）
次に、本実施例のぬいぐるみ型の貯金箱１の作用について説明する。本考案のぬいぐるみ型の貯金箱１は、その外見はぬいぐるみであるから、かわいらしく、愛着がわきやすいものである。さらに言えば、このぬいぐるみ型の貯金箱１は、柔らかい素材で形成されているため、いっそう愛着がわきやすいといえる。したがって、貯金する意志（モチベーション）を維持しやすくなる。そして、本考案では、ぬいぐるみ２が完成した後に、板状部材３を入れ込むことによって、全体の製作工程が簡単になる。
【００２１】
そして、実際に硬貨を投入した際には、硬貨と板状部材３、又は、硬貨どうしの衝突音が板状部材３に伝搬されて、反響して外部からも聞こえやすくなっている。すなわち、硬貨を投入した際に「チャリン」という音が響くことで、貯金されている満足感が得られ、いっそう貯金の意欲が湧いてくる。
【００２２】
（効果）
次に、本実施例のぬいぐるみ型の貯金箱１の奏する効果を列挙して説明する。
【００２３】
（１）上述してきたように、本考案のぬいぐるみ型の貯金箱１は、内部に空洞２０を有するぬいぐるみ２であって、上部に硬貨を投入するための硬貨投入口２１を有し、下部に硬貨を取り出すための硬貨取出口２２を有する、ぬいぐるみ２と、ぬいぐるみ２の内部の空洞２０に嵌め込まれる、ぬいぐるみ２よりも硬い素材から形成される板状部材３であって、硬貨を収容する空間を区画する板状部材３と、を備え、板状部材３は、ぬいぐるみ２の硬貨取出口２２を通じて、ぬいぐるみ２の内部の空洞２０に嵌め込まれるようになっている。
【００２４】
このような構成であれば、板状部材３によって硬貨どうしの衝突音が反響するため、きわめて単純な構造であり、かつ、硬貨どうしの衝突音が響きやすい、ぬいぐるみ型の貯金箱１となる。さらに、貯金箱がぬいぐるみから形成されることで、愛着がわきやすく、貯金に対するモチベーションが高まる効果もある。加えて、より幼少期の貯金を促進することも可能となる。さらに、小ロットで作成される、キャラクターグッズへの適用も容易になる。
【００２５】
（２）また、板状部材３は、略円筒状に丸められてぬいぐるみ２の内部の空洞２０に嵌め込まれるようになっているため、ぬいぐるみ型の貯金箱１の製造工程において、安価に板状部材３を準備できるうえ、板状部材３を空洞２０内に容易に挿入できる、という効果がある。
【００２６】
（３）さらに、板状部材３は、合成樹脂、金属、紙、皮革、又は、木材のいずれかの素材から形成されているため、適度な硬度を備えることで、空洞２０内の衝突音を板状部材３を通じて伝搬・反響させやすくなる。
【００２７】
（４）また、ぬいぐるみ２の下部の硬貨取出口２２は、ファスナー２２ａ、２２ｂによって開閉自在に形成されていることで、硬貨を取り出しやすくなるうえ、製造工程の終盤において板状部材３を空洞２０に嵌め込みやすくなる。
【００２８】
（５）加えて、ぬいぐるみ２の下部の硬貨取出口２２の内側に、硬貨を収容する空間の底部を区画する底部板状部材（４）をさらに備えることも好ましい。このように構成すれば、硬貨があまり貯金されていない状態（少ない状態）でも、硬貨と底部板状部材（４）を衝突させることで衝突音を反響させやすくなる。
【００２９】
以上、図面を参照して、本考案の実施例を詳述してきたが、具体的な構成は、この実施例に限らず、本考案の要旨を逸脱しない程度の設計的変更は、本考案に含まれる。
【００３０】
例えば、実施例では、板状部材３は、円筒状に屈曲されて空洞２０に嵌め込まれる場合について説明したが、これに限定されるものではなく、例えば、楕円形や四角形など、反響しやすい形状であれば、他の形状に屈曲されてもよい。
【符号の説明】
【００３１】
１          ぬいぐるみ型の貯金箱
２          ぬいぐるみ
２ａ        目
２ｂ        耳
２ｃ        鼻
２ｄ        口
２０        空洞
２１        硬貨投入口
２２        硬貨取出口
２２ａ      エレメント
２２ｂ      スライダ
３          板状部材
４          底部板状部材
【図１】
0003227509.tif 000003
【図２】
0003227509.tif 000004
【図３】
0003227509.tif 000005